(57)【要約】【課題】アウト口の上側に配置される入賞手段の配置位置を従来よりも下げることで遊技領域内の配置の自由度を向上させることが可能な弾球遊技機を提供する。【解決手段】遊技盤６の遊技領域に向けて遊技球を発射する発射手段と、遊技領域の最下部に配置され且つアウト球を遊技盤６の裏側に案内するアウト口１４と、アウト口１４の上側に配置され且つ開閉可能な入賞口３６を有する開閉式入賞手段２７とを備え、開閉式入賞手段２７は、入賞口３６に入賞した遊技球を検出する入賞検出手段５８と、この入賞検出手段５８で検出された遊技球をアウト口１４に排出する排出口７２ｂとを備えたものである。【選択図】図８
2010269195.tif 000002
【特許請求の範囲】
【請求項１】
遊技盤（６）の遊技領域（７）に向けて遊技球を発射する発射手段（９）と、前記遊技領域（７）の最下部に配置され且つアウト球を前記遊技盤（６）の裏側に案内するアウト口（１４）と、該アウト口（１４）の上側に配置され且つ開閉手段（４４）により開閉可能な入賞口（３６）を有する開閉式入賞手段（２７）とを備えた弾球遊技機において、前記開閉式入賞手段（２７）は、前記入賞口（３６）に入賞した遊技球を検出する入賞検出手段（５８）と、該入賞検出手段（５８）で検出された遊技球を前記アウト口（１４）に排出する排出口（７２ｂ）とを備えたことを特徴とする弾球遊技機。
【請求項２】
前記アウト口（１４）は横長状に形成されており、前記排出口（７２ｂ）は、前記アウト口（１４）の左右方向中央部に前側から連通し、前記アウト球は前記排出口（７２ｂ）の左右両側から前記アウト口（１４）に流入可能に構成されていることを特徴とする請求項１に記載の弾球遊技機。
【請求項３】
前記入賞口（３６）に入賞した遊技球を前記排出口（７２ｂ）まで案内する入賞通路（７２）が前記遊技盤（６）の前側に上下方向に配置され、その入賞通路（７２）上に前記入賞検出手段（５８）が配置されていることを特徴とする請求項１又は２に記載の弾球遊技機。
【請求項４】
前記排出口（７２ｂ）を、前記遊技盤（６）の板厚範囲内で前記アウト口（１４）に上側から連通するように設けたことを特徴とする請求項１に記載の弾球遊技機。
【請求項５】
上記開閉式入賞手段（２７）と、その上側に配置され且つ始動入賞口（３３）を有する始動入賞手段（２６）とを一つの入賞ユニット（１６）上に設け、前記開閉手段（４４）は、前記入賞口（３６）と前記始動入賞口（３３）との間の左右両側に形成された入賞開口部（３５）を開閉可能に構成されていることを特徴とする請求項１〜４の何れかに記載の弾球遊技機。
【発明の詳細な説明】
【技術分野】
【０００１】
本発明は、パチンコ機等の弾球遊技機に係り、詳しくは、遊技盤の遊技領域に向けて遊技球を発射する発射手段と、遊技領域の最下部に配置され且つアウト球を遊技盤の裏側に案内するアウト口と、このアウト口の上側に配置され且つ開閉可能な入賞口を有する開閉式入賞手段とを備えた弾球遊技機に関するものである。
【背景技術】
【０００２】
例えばパチンコ機では、始動入賞手段に遊技球が入賞することを条件に、液晶ディスプレイ等の画像表示手段で図柄の変動表示を行い、その変動後の停止図柄が予め定められた組み合わせとなって大当たりが発生した場合に、大入賞手段を開放して遊技者に多大な利益を還元するように構成されたものが主流となっている。
【０００３】
また、この種のパチンコ機の多くは、遊技領域の略中央に画像表示手段を備えたセンターケースが配置され、そのセンターケースと、遊技領域の最下部に設けられたアウト口との間に、始動入賞手段と大入賞手段とが上下に配置された構成となっている（例えば特許文献１参照）。
【先行技術文献】
【特許文献】
【０００４】
【特許文献１】特開２００５−２７９３１２号公報
【発明の開示】
【発明が解決しようとする課題】
【０００５】
ところで、この種のパチンコ機では、演出性向上その他の理由により、画像表示手段の画面サイズが拡大する傾向にあり、それに伴ってセンターケースも大型化している。しかしながら、センターケースの下側には始動入賞手段と大入賞手段とが配置されているため、限られた遊技領域内でセンターケースを大型化するには自ずと限界があった。
【０００６】
本発明は、上記事情に鑑みてなされたものであり、その目的とするところは、アウト口の上側に配置される入賞手段の配置位置を従来よりも下げることで遊技領域内の配置の自由度を向上させることが可能な弾球遊技機を提供することにある。
【課題を解決するための手段】
【０００７】
本発明は、遊技盤６の遊技領域７に向けて遊技球を発射する発射手段９と、前記遊技領域７の最下部に配置され且つアウト球を前記遊技盤６の裏側に案内するアウト口１４と、該アウト口１４の上側に配置され且つ開閉可能な入賞口３６を有する開閉式入賞手段２７とを備えた弾球遊技機において、前記開閉式入賞手段２７は、前記入賞口３６に入賞した遊技球を検出する入賞検出手段５８と、該入賞検出手段５８で検出された遊技球を前記アウト口１４に排出する排出口７２ｂとを備えたものである。
【発明の効果】
【０００８】
本発明によれば、入賞口３６に入賞した遊技球を遊技盤６の裏側に案内するための通路を別途設ける必要がなく、従ってアウト口１４の上側に配置される開閉式入賞手段２７の配置位置を従来よりも下げることができ、遊技領域７内の配置の自由度を向上させることが可能となる。
【図面の簡単な説明】
【０００９】
【図１】本発明の第１の実施形態を示すパチンコ機の全体斜視図である。
【図２】本発明の第１の実施形態を示すパチンコ機でガラス扉及び前面板を外した状態の正面図である。
【図３】本発明の第１の実施形態を示すパチンコ機の要部拡大正面図である。
【図４】本発明の第１の実施形態を示すパチンコ機の要部平面断面図である。
【図５】本発明の第１の実施形態を示すパチンコ機の要部側面断面図である。
【図６】本発明の第１の実施形態を示す入賞ユニットの斜視図である。
【図７】本発明の第１の実施形態を示す入賞ユニットの斜視図である。
【図８】本発明の第１の実施形態を示す入賞ユニットの側面断面図である。
【図９】本発明の第１の実施形態を示す入賞ユニットの正面断面図である。
【図１０】本発明の第１の実施形態を示す入賞ユニットの平面断面図である。
【図１１】本発明の第１の実施形態を示す入賞ユニットの平面断面図である。
【図１２】本発明の第１の実施形態を示すパチンコ機のアウト口への遊技球の流入状態を説明する要部平面断面図である。
【図１３】本発明の第２の実施形態を示すパチンコ機の要部拡大正面図である。
【図１４】本発明の第２の実施形態を示すパチンコ機の要部側面断面図である。
【発明を実施するための形態】
【００１０】
以下、本発明の実施形態を図面に基づいて詳述する。図１〜図１２は本発明をパチンコ機に採用した第１の実施形態を例示している。図１及び図２において、遊技機本体１は、矩形状の外枠２と、この外枠２の前側に開閉自在に枢着された前枠３とを備えている。前枠３の前側には、ガラス扉４と前面板５とが上下に配置され、共に前枠３に開閉自在に枢支されている。
【００１１】
ガラス扉４は前枠３に着脱自在に装着された遊技盤６の前側を覆うもので、遊技盤６の前側の遊技領域７を透視可能なガラス窓８が設けられている。前面板５は前枠３の下部に配置された発射手段９等を前側から覆うもので、発射用の遊技球を貯留する供給皿１０、発射手段９を作動させる発射ハンドル１１等が前側に設けられている。
【００１２】
遊技盤６は、例えば前枠３に対して前側から着脱自在に装着されており、その前面側には、図２に示すように、発射手段９から発射された遊技球を案内するガイドレール１２が環状に装着され、その内側が遊技領域７となっている。遊技領域７内には、その最下部にアウト口１４が形成されると共に、略中央にセンターケース１５が、このセンターケース１５の下部側で且つアウト口１４の上側に入賞ユニット１６が、センターケース１５の側方に通過ゲート１７が、夫々配置されている。
【００１３】
アウト口１４は、遊技領域７の最下部まで落下したアウト球を遊技盤６の裏側に案内するもので、ガイドレール１２の内側に沿って例えば横長状に形成され、遊技盤６に対して前後方向貫通状に設けられている。アウト口１４は、その底面１４ａが後ろ下がりの傾斜状に形成され（図８）、遊技盤６の前側から入球した遊技球を遊技盤６の裏側に案内するようになっている。また、ガイドレール１２には、アウト口１４の前側に後ろ下がりの傾斜状に形成されたアウト球案内部１２ａが形成されており、遊技領域７の最下部まで落下したアウト球をアウト口１４内に案内するようになっている。
【００１４】
センターケース１５には、液晶式等の画像表示装置２１の他、普通図柄表示手段２２、特別図柄表示手段２３等が設けられている。画像表示装置２１は、演出図柄表示手段２５等を構成している。また入賞ユニット１６には、左右方向の中央に特別図柄始動入賞手段２６と大入賞手段（開閉式入賞手段）２７とが上下に配置され、またそれらの左右両側に夫々１又は複数の普通入賞手段２８が配置されている。
【００１５】
普通図柄表示手段２２は、普通図柄を変動表示するためのもので、例えば「○」「×」の２種類の普通図柄に対応する２個の発光体（例えばＬＥＤ）を備えており、遊技球が通過ゲート１７を通過することを条件にそれら２つの発光体が所定時間交互に点滅した後、当たり態様に対応する「○」と外れ態様に対応する「×」との何れかが発光した状態で点滅が終了するようになっている。
【００１６】
特別図柄始動入賞手段２６は、特別図柄表示手段２３による図柄変動を開始させるためのもので、図３，図９等に示すように、上部側の上部始動入賞手段２６ａと、下部側の下部始動入賞手段２６ｂとを備えている。上部始動入賞手段２６ａは、開閉手段等を有しない非開閉式入賞手段で、上向き開口状の上部始動入賞口３１を備えている。また、下部始動入賞手段２６ｂは、遊技球が入賞可能な開状態と入賞不可能な閉状態とに切り換え可能な開閉式入賞手段で、第１入賞開口部３２を介して遊技球が入賞可能な下部始動入賞口３３と、第１入賞開口部３２を開閉する第１開閉羽根３４とを備え、普通図柄表示手段２２の変動後の停止図柄が当たり態様となって普通利益状態が発生したときに、第１開閉羽根３４が閉状態（図３に実線で示す）から開状態（図３に二点鎖線で示す）に変化して所定時間維持されるように構成されている。
【００１７】
特別図柄表示手段２３は、１個又は複数個、例えば１個の特別図柄を変動表示可能な７セグメント式等の表示手段を備えており、特別図柄始動入賞手段２６の上部始動入賞口３１又は下部始動入賞口３３に遊技球が入賞することを条件に特別図柄を所定時間変動表示した後、所定の大当たり態様又は外れ態様で停止するようになっている。なお、特別図柄には例えば１０種類の数字図柄「０」〜「９」と記号図柄「−」とが用いられており、  「０」〜「９」が大当たり態様、「−」が外れ態様に設定されている。
【００１８】
演出図柄表示手段２５は、特別図柄表示手段２３による特別図柄の変動表示と時間的に同調して演出図柄を変動表示するもので、１個又は複数個、例えば左右方向に３個の演出図柄を例えば各種の演出画像と共に変動表示可能に構成されており、特別図柄始動入賞手段２６の上部始動入賞口３１又は下部始動入賞口３３に遊技球が入賞することを条件に、特別図柄の変動開始と同時に所定の変動パターンに従って演出図柄の変動を開始すると共に、特別図柄の変動停止と同時に最終停止するように、演出図柄を左、右、中等の所定の順序で停止させるようになっている。なお、演出図柄には例えば「０」〜「９」の１０種類の数字図柄が用いられ、「６・６・６」「７・７・７」等、３つの図柄が全て同じ図柄で揃ったものが大当たり態様、少なくとも１つの図柄が異なるものが外れ態様となっている。
【００１９】
大入賞手段２７は、遊技球が入賞可能な開状態と入賞不可能な閉状態とに切り換え可能な開閉式入賞手段で、図３，図９等に示すように、第２入賞開口部３５を介して遊技球が入球可能な入賞口３６と、第２入賞開口部３５を開閉する第２開閉羽根３７とを備え、特別図柄表示手段２３の変動後の特別図柄が大当たり態様となることに基づいて特別利益状態が発生したときに、第２開閉羽根３７が所定パターンで開放して、その上に落下した遊技球を入賞口３６へと入賞させるようになっている。
【００２０】
続いて、入賞ユニット１６の構成について、図３〜図１２に基づいて更に詳細に説明する。入賞ユニット１６は、遊技盤６に対して前側から着脱自在に装着されており、遊技盤６の前面側に沿って配置され且つ特別図柄始動入賞手段２６の上部，下部始動入賞口３１，３３、大入賞手段２７の入賞口３６、普通入賞手段２８等を備えた台板４１と、下部始動入賞口３３、入賞口３６等を前側から覆う前カバー４２と、第１開閉羽根３４により下部始動入賞口３３への第１入賞開口部３２を開閉する第１開閉手段４３と、第２開閉羽根３７により入賞口３６への第２入賞開口部３５を開閉する第２開閉手段４４とを備えている。
【００２１】
台板４１は、遊技盤６の前面側に沿う薄板状で、アウト口１４とセンターケース１５との間に配置され且つ上部，下部始動入賞口３１，３３、入賞口３６等が設けられる上下方向の台板本体部４１ａと、この台板本体部４１ａの下部側からガイドレール１２の内側に沿って左右方向に延設され且つ普通入賞手段２８等が設けられる台板弓状部４１ｂとを一体に備え、遊技盤６に形成された入賞ユニット１６用の装着孔６ａ（図５）を前側から塞ぐように遊技盤６の前側にねじ止め等により着脱自在に固定されている。なお、台板４１の下端部には、アウト口１４に対応する横長状の切り欠き部４５が形成されている。
【００２２】
台板本体部４１ａの上部側には、上部始動入賞口３１が上向き開口状に設けられた上部始動入賞樋５１と、下部始動入賞口３３が上向き開口状に設けられた下部始動入賞樋５２とが、上下に所定距離をおいて前向き突出状に設けられており、それら上部始動入賞樋５１と下部始動入賞樋５２との間に、下部始動入賞口３３に通じる左右一対の第１入賞開口部３２が形成され、第１開閉羽根３４により開閉されるようになっている。
【００２３】
下部始動入賞樋５２の上部側には、下部始動入賞口３３に入賞した遊技球を検出する下部始動入賞検出スイッチ５３が配置され、例えば台板４１に対して後側から着脱自在に装着されている。なお、上部始動入賞樋５１と下部始動入賞樋５２との内部には、上部始動入賞口３１、下部始動入賞口３３に入賞した遊技球を後ろ向きに案内する案内リブ５４，５５が一体に設けられている。また、下部始動入賞樋５２の左右両側には、図９に示すように、下部始動入賞口３３に入賞できなかった遊技球を左右方向外側に案内する一対の外案内板５６が、台板４１の前側に突出状に設けられている。
【００２４】
台板本体部４１ａの下端部側で且つ切り欠き部４５の上側には、図９等に示すように、左右方向中央に向けて傾斜する左右一対の入賞案内テーブル５７，５７が前向き突出状に設けられ、それら左右の入賞案内テーブル５７，５７の中央に上向き開口状の入賞口３６が形成されており、入賞案内テーブル５７とその上側の例えば外案内板５６との間に、入賞口３６に通じる左右一対の第２入賞開口部３５が形成され、第２開閉羽根３７により開閉されるようになっている。
【００２５】
入賞案内テーブル５７，５７の下側には、入賞口３６に入賞した遊技球を検出する入賞検出スイッチ（入賞検出手段）５８が配置され、例えば台板４１に対して後側から着脱自在に装着されている。なお、例えば外案内板５６及び入賞案内テーブル５７には、図９に示すように、前カバー４２をねじ止めするための固定基部５９が一体的に設けられている。
【００２６】
台板弓状部４１ｂには、普通入賞手段２８が複数設けられている。普通入賞手段２８は、台板４１の前側に突出状に設けられ且つ普通入賞口６１が上向き開口状に形成された普通入賞樋６２と、例えば普通入賞樋６２の上部側に着脱自在に装着され且つ普通入賞口６１に入賞した遊技球を検出する普通入賞検出スイッチ６３とを備え、普通入賞口６１に入賞した遊技球を普通入賞検出スイッチ６３により検出した後、普通入賞樋６２により遊技盤の裏側に案内するようになっている。
【００２７】
前カバー４２は、下部始動入賞口３３及び入賞口３６の前側を覆うカバー板部７１と、このカバー板部７１の下端側に一体的に設けられ且つ入賞口３６に入賞した遊技球をアウト口１４に案内する入賞樋（入賞通路）７２とを例えば一体に備え、台板４１側の固定基部５９に対してねじ止めにより着脱自在に固定されている。
【００２８】
入賞樋７２は、図８等に示すように、入賞口３６の下側に連通する上向き開口状の流入口７２ａと、アウト口１４の左右方向中央部に前側から連通する後ろ向き開口状の排出口７２ｂと、流入口７２ａに流入した入賞球を排出口７２ｂ側、即ち後ろ向きに案内する案内リブ７３とを備え、アウト口１４の左右方向中央部を前側から覆うように入賞口３６の下側に配置されている。なお、アウト球は入賞樋７２の左右両側からアウト口１４に流入可能となっている。
【００２９】
台板４１の背面側には、図８等に示すように、上部始動入賞口３１に入賞した遊技球を遊技盤６の後側に案内する上部案内通路８１と、下部始動入賞口３３に入賞しだ遊技球を遊技盤６の後側に案内する下部案内通路８２と、上部案内通路８１及び下部案内通路８２により案内された遊技球を遊技盤６の下部側に案内する縦案内通路８３とが設けられている。
【００３０】
縦案内通路８３は、遊技盤６の背面位置で台板本体部４１ａの左右方向中央部に対応して上下方向に配置され、例えば台板４１に着脱自在に固定されている。下部案内通路８２は、下部始動入賞樋５２の後端側から台板４１の後側に向けて例えば後下がりの緩やかな傾斜状に設けられ、その後端側が縦案内通路８３の上部側に前側から連通しており、例えば台板４１に一体に設けられている。
【００３１】
上部案内通路８１は、上部始動入賞樋５１の後端側から台板４１の背面側に沿って下向きに設けられる縦通路部８１ａと、この縦通路部８１ａの下端側から下部案内通路８２の上側に沿って後ろ向きに設けられる横通路部８１ｂとを備え、この横通路部８１ｂの後端側が縦案内通路８３の上端側に上側から連通しており、台板４１とこの台板４１の背面側に着脱自在に装着された裏ケース８４との間に形成されている。
【００３２】
縦通路部８１ａには、この縦通路部８１ａを通過する遊技球を検出する上部始動入賞検出スイッチ８５が配置され、例えば裏ケース８４に対して後側から着脱自在に装着されている。また、横通路部８１ｂ内には、その底壁８６上に、縦通路部８１ａ側から流下してきた遊技球を後ろ向きに案内する案内リブ８７が一体に設けられている。なお、横通路部８１ｂの底壁８６は、例えば下部始動入賞検出スイッチ５３の上側に沿って台板４１の背面側に一体に設けられている。
【００３３】
第１開閉手段４３は、第１入賞開口部３２に対応して設けられる左右一対の第１開閉羽根３４と、これら第１開閉羽根３４を開閉駆動する第１駆動手段９１と、この第１駆動手段９１の駆動軸９２と第１開閉羽根３４とを連結する第１駆動連結部材９３とを備えている。
【００３４】
第１開閉羽根３４は、図９等に示すように、左右方向内側の内側案内面３４ａと、この内側案内面３４ａよりも左右方向外側に設けられた前後方向の回転軸９４の近傍と内側案内面３４ａの上下両端側とを夫々接続する上外側案内面３４ｂ及び下部外側案内面３４ｃとで正面視略三角形状に形成され、回転軸９４において台板４１と前カバー４２との間に軸支されており、内側案内面３４ａが略垂直となって第１入賞開口部３２を閉鎖する閉状態と、内側案内面３４ａが内下がりの傾斜状となって第１入賞開口部３２を開放する開状態との間で揺動可能となっている。
【００３５】
なお、第１開閉羽根３４の下部外側案内面３４ｃは、下部始動入賞口３３と外案内板５６との間の隙間を略閉鎖し、第１開閉羽根３４の上外側案内面３４ｂは、第１開閉羽根３４が閉鎖位置にあるときに第１開閉羽根３４上に落下してきた遊技球を外案内板５６側に案内するようになっている。また、第１開閉羽根３４には、例えば内側案内面３４ａの下端側に対応して開閉操作ピン９５が後ろ向きに突設されている。この開閉操作ピン９５は、台板４１に形成された円弧状のガイド孔９６を介して台板４１の後側に突出している。
【００３６】
第１駆動手段９１は、電磁ソレノイドにより構成されており、例えば駆動軸９２を前側に向けた状態で上部案内通路８１の後側に配置され、ホルダ９７を介して例えば裏ケース８４の後側に着脱自在に装着されている。
【００３７】
第１駆動連結部材９３は、第１駆動手段９１側の駆動軸９２の前後方向の動作を第１開閉羽根３４側の揺動動作に変換するもので、左右一対のリンク部９８と、これら左右のリンク部９８を一体に連結する連結部９９とを一体に備えている。
【００３８】
リンク部９８は、上部案内通路８１の左右両側に配置され、駆動軸９２の下側に配置された左右方向の回転軸９８ａを介して例えばホルダ９７に揺動自在に軸支されており、回転軸９８ａから半径方向の異なる２方向に突設された作動側アーム１０１と駆動側アーム１０２とを一体に備えている。作動側アーム１０１は、回転軸９８ａから略前側に突設されており、その先端側には第１開閉羽根３４の開閉操作ピン９５に対して上下方向に係合する係合部１０１ａが一体に設けられている。また、駆動側アーム１０２は、回転軸９８ａから略上向きに突設され、その先端側が連結部９９により他方の駆動側アーム１０２側と左右に連結されており、この連結部９９がプランジャヘッド１０３を介して駆動軸９２の先端側に連結されている。
【００３９】
これにより、普通図柄表示手段２２の変動後の停止図柄が当たり態様となって普通利益状態が発生し、第１駆動手段９１が作動してその駆動軸９２が後ろ向きに移動すると、図５に二点鎖線で示すように、駆動側アーム１０２が後側に引かれてリンク部９８が回転し、作動側アーム１０１の係合部１０１ａが上向きに移動して開閉操作ピン９５を押し上げるため、第１開閉羽根３４が外向きに揺動して第１入賞開口部３２を開放する。逆に、第１駆動手段９１が非作動状態になって駆動軸９２が前向きに移動すると、図５に実線で示すように、駆動側アーム１０２が前側に押されてリンク部９８が回転し、作動側アーム１０１の係合部１０１ａが下向きに移動して開閉操作ピン９５を押し下げるため、第１開閉羽根３４が内向きに揺動して第１入賞開口部３２を閉鎖する。
【００４０】
第２開閉手段４４は、第２入賞開口部３５に対応して設けられる左右一対の第２開閉羽根３７と、これら第２開閉羽根３７を開閉駆動する第２駆動手段１１１と、この第２駆動手段１１１の駆動軸１１２と第２開閉羽根３７とを連結する第２駆動連結部材１１３とを備えている。
【００４１】
第２開閉羽根３７は、第１開閉羽根３４と略同じ形状で、左右方向内側の内側案内面３７ａと、この内側案内面３７ａよりも左右方向外側に設けられた前後方向の回転軸１１４の近傍と内側案内面３７ａの上下両端側とを夫々接続する上外側案内面３７ｂ及び下部外側案内面３７ｃとで正面視略三角形状に形成され、回転軸１１４において台板４１と前カバー４２との間に軸支されており、内側案内面３７ａが略垂直となって第２入賞開口部３５を閉鎖する閉状態と、内側案内面３７ａが内下がりの傾斜状となって第２入賞開口部３５を開放する開状態との間で揺動可能となっている。
【００４２】
また、第２開閉羽根３７には、例えば内側案内面３７ａの下端側に対応して開閉操作ピン１１５が後ろ向きに突設されている。この開閉操作ピン１１５は、台板４１に形成された円弧状のガイド孔１１６を介して台板４１の後側に突出している。
【００４３】
第２駆動手段１１１は、電磁ソレノイドにより構成されており、例えば駆動軸１１２を前側に向けた状態で縦案内通路８３の後側に配置され、例えば縦案内通路８３に一体に形成されたホルダ１１７に着脱自在に装着されている。
【００４４】
第２駆動連結部材１１３は、第２駆動手段１１１側の駆動軸１１２の前後方向の動作を第２開閉羽根３７側の揺動動作に変換するもので、左右一対のリンク部１１８と、これら左右のリンク部１１８を一体に連結する連結部１１９とを一体に備えている。リンク部１１８は、縦案内通路８３の左右両側に配置され、駆動軸１１２の下側に配置された左右方向の回転軸１１８ａを介して例えばホルダ１１７に揺動自在に軸支されており、回転軸１１８ａから半径方向の異なる２方向に突設された作動側アーム１２１と駆動側アーム１２２とを一体に備えている。
【００４５】
作動側アーム１２１は、回転軸１１８ａから略前側に突設されており、その先端側には第２開閉羽根３７の開閉操作ピン１１５に対して上下方向に係合する係合部１２１ａが一体に設けられている。また、駆動側アーム１２２は、回転軸１１８ａから略上向きに突設され、その先端側が連結部１１９により他方の駆動側アーム１２２側と左右に連結されており、この連結部１１９がプランジャヘッド１２３を介して駆動軸１１２の先端側に連結されている。
【００４６】
これにより、特別図柄表示手段２３の変動後の特別図柄が大当たり態様となることに基づいて特別利益状態が発生し、第２駆動手段１１１が作動してその駆動軸１１２が後ろ向きに移動すると、図５に二点鎖線で示すように、駆動側アーム１２２が後側に引かれてリンク部１１８が回転し、作動側アーム１２１の係合部１２１ａが上向きに移動して開閉操作ピン１１５を押し上げるため、第２開閉羽根３７が外向きに揺動して第２入賞開口部３５を開放する。逆に、第２駆動手段１１１が非作動状態になって駆動軸１１２が前向きに移動すると、図５に実線で示すように、駆動側アーム１２２が前側に押されてリンク部１１８が回転し、作動側アーム１２１の係合部１２１ａが下向きに移動して開閉操作ピン１１５を押し下げるため、第２開閉羽根３７が内向きに揺動して第２入賞開口部３５を閉鎖する。
【００４７】
以上説明した入賞ユニット１６では、上部始動入賞口３１に入賞した遊技球は、上部始動入賞樋５１により後ろ向きに案内された後、上部案内通路８１の縦通路部８１ａを下向きに流下する際に上部始動入賞検出スイッチ８５で検出される。そして、横通路部８１ｂにより遊技盤６の裏側まで後ろ向きに案内された後、縦案内通路８３により遊技盤６の背面側に沿って下向きに案内される。
【００４８】
また、第１駆動手段９１が作動して第１開閉羽根３４が第１入賞開口部３２を開放すると、その上側に落下してきた遊技球は第１開閉羽根３４の内側案内面３４ａに沿って内側に案内され、下部始動入賞口３３に入賞して下部始動入賞検出スイッチ５３で検出される。そしてその入賞球は、下部始動入賞樋５２及び下部案内通路８２により遊技盤６の裏側まで後ろ向きに案内された後、縦案内通路８３により遊技盤６の背面側に沿って下向きに案内される。
【００４９】
また、第２駆動手段１１１が作動して第２開閉羽根３７が第２入賞開口部３５を開放すると、その上側に落下してきた遊技球は、第２開閉羽根３７の内側案内面３７ａ及び入賞案内テーブル５７に沿って内側に案内され、入賞口３６に入賞する。そしてその入賞球は、入賞検出スイッチ５８で検出された後、入賞樋７２に沿って下向きに案内され、更に後ろ向きに案内されて排出口７２ｂからアウト口１４内に流入し、入賞樋７２の左右両側からアウト口１４に流入したアウト球と同様、このアウト口１４を介して遊技盤６の裏側に案内される。
【００５０】
以上説明したように、本実施形態のパチンコ機では、大入賞手段２７は、入賞口３６に入賞した遊技球を検出する入賞検出スイッチ５８と、この入賞検出スイッチ５８で検出された遊技球をアウト口１４に排出する排出口７２ｂとを備えているため、入賞口３６に入賞した遊技球を遊技盤６の裏側に案内するための通路を別途設ける必要がなく、従ってアウト口１４の上側に配置される大入賞手段２７の配置位置を従来よりも下げることができ、遊技領域７内の配置の自由度を向上させることが可能となる。
【００５１】
また、アウト口１４は横長状に形成されており、排出口７２ｂは、アウト口１４の左右方向中央部に前側から連通し、アウト球は排出口７２ｂの左右両側からアウト口１４に流入可能に構成されているため、アウト口１４は従来と同様に前後方向の貫通状に設ければよく、またアウト球の排出も支障なく行うことができる。
【００５２】
また、入賞口３６に入賞した遊技球を排出口７２ｂまで案内する入賞樋７２が遊技盤６の前側に上下方向に配置され、その入賞樋７２上に入賞検出スイッチ５８が配置されているため、入賞口３６に入賞があった場合にその入賞球を迅速に検出できる利点がある。
【００５３】
更に、大入賞手段２７と、その上側に配置され且つ下部始動入賞口３３を有する特別図柄始動入賞手段２６とを一つの入賞ユニット１６上に設け、開閉手段４４は、入賞口３６と下部始動入賞口３３との間の左右両側に形成された第２入賞開口部３５を開閉可能に構成されているため、入賞口３６とその上側の下部始動入賞口３３との間には第２入賞開口部３５から入賞口３６へ遊技球が通過できる最小限の隙間を設ければよいため、大入賞手段２７と共に特別図柄始動入賞手段２６の配置位置も下げることができ、遊技領域７内の配置の自由度をより向上させることが可能となる。
【００５４】
図１３及び図１４は本発明の第２の実施形態を例示し、排出口７２ｂを、遊技盤６の板厚範囲内でアウト口１４に上側から連通するように設けた例を示している。
【００５５】
本実施形態では、入賞口３６が、左右の入賞案内テーブル５７間に対応してその後側の台板４１に後ろ向き開口状に形成されている。また、入賞口３６に入賞した遊技球をアウト口１４に案内する入賞樋（入賞通路）７２は、入賞口３６の後側に後ろ向きに配置され、例えば台板４１に一体に設けられており、その後端側に、遊技盤６の板厚範囲内でアウト口１４に上側から連通する排出口７２ｂが設けられている。また、入賞樋７２の下部側には、入賞口３６に入賞し、入賞樋７２を通過する遊技球を検出する入賞検出スイッチ  （入賞検出手段）５８が配置され、例えば台板４１に対して後側から着脱自在に装着されている。それ以外の構成は第１の実施形態と同様である。
【００５６】
このように、入賞口３６に入賞した遊技球をアウト口１４に排出する排出口７２ｂを、遊技盤６の板厚範囲内でアウト口１４に上側から連通するように設けても、第１の実施形態と同様、アウト口１４の上側に配置される大入賞手段２７の配置位置をできる限り下げることができ、遊技領域７内の配置の自由度を向上させることが可能となる。また、このような構成であれば、入賞口３６を、下部側の横軸廻りに揺動する開閉板により開閉する形式の大入賞手段２７にもそのまま適用可能である。
【００５７】
以上、本発明の実施形態について詳述したが、本発明はこれらの実施形態に限定されるものではなく、本発明の趣旨を逸脱しない範囲で種々の変更が可能である。例えば、大入賞手段２７と特別図柄始動入賞手段２６とは別のユニット上に設けてもよい。
【００５８】
排出口７２ｂは、アウト口１４の左右方向中央部に前側から連通するものの他、遊技盤６の前側で且つアウト口１４の上側に下向き開口状に設けてもよい。
【００５９】
入賞検出スイッチ５８は、入賞樋７２上に設ければよく、第１の実施形態の場合には例えば排出口７２ｂの近傍に設け、排出口７２ｂからアウト口１４に排出される遊技球を検出するように構成してもよい。
【符号の説明】
【００６０】
６    遊技盤
７    遊技領域
９    発射手段
１４    アウト口
１６    入賞ユニット
２６    特別図柄始動入賞手段（始動入賞手段）
２７    大入賞手段（開閉手記入賞手段）
３３    下部始動入賞口（始動入賞口）
３５    第２入賞開口部（入賞開口部）
３６    入賞口
４４    第２開閉手段（開閉手段）
５８    入賞検出スイッチ（入賞検出手段）
７２    入賞樋（入賞通路）
７２ｂ  排出口
【図１】
2010269195.tif 000003
【図２】
2010269195.tif 000004
【図３】
2010269195.tif 000005
【図４】
2010269195.tif 000006
【図５】
2010269195.tif 000007
【図６】
2010269195.tif 000008
【図７】
2010269195.tif 000009
【図８】
2010269195.tif 000010
【図９】
2010269195.tif 000011
【図１０】
2010269195.tif 000012
【図１１】
2010269195.tif 000013
【図１２】
2010269195.tif 000014
【図１３】
2010269195.tif 000015
【図１４】
2010269195.tif 000016
【手続補正書】
【提出日】平成22年9月13日(2010.9.13)
【手続補正１】
【補正対象書類名】特許請求の範囲
【補正対象項目名】全文
【補正方法】変更
【補正の内容】
【特許請求の範囲】
【請求項１】
遊技盤の遊技領域に向けて遊技球を発射する発射手段と、前記遊技領域の最下部に配置され且つアウト球を前記遊技盤の裏側に案内するアウト口と、該アウト口の上側に配置され且つ開閉手段により開閉可能な入賞口を有する開閉式入賞手段とを備えた弾球遊技機において、前記開閉式入賞手段は前記遊技盤の前側に配置された前記入賞口と、該入賞口に入賞した遊技球を検出する入賞検出手段と、前記遊技盤の板厚範囲内で前記アウト口に上側から連通し且つ前記入賞検出手段で検出された遊技球を前記アウト口に排出する排出口とを備えたことを特徴とする弾球遊技機。
【手続補正２】
【補正対象書類名】明細書
【補正対象項目名】０００７
【補正方法】変更
【補正の内容】
【０００７】
本発明は、遊技盤の遊技領域に向けて遊技球を発射する発射手段と、前記遊技領域の最下部に配置され且つアウト球を前記遊技盤の裏側に案内するアウト口と、該アウト口の上側に配置され且つ開閉手段により開閉可能な入賞口を有する開閉式入賞手段とを備えた弾球遊技機において、前記開閉式入賞手段は前記遊技盤の前側に配置された前記入賞口と、該入賞口に入賞した遊技球を検出する入賞検出手段と、前記遊技盤の板厚範囲内で前記アウト口に上側から連通し且つ前記入賞検出手段で検出された遊技球を前記アウト口に排出する排出口とを備えたものである。
【手続補正３】
【補正対象書類名】明細書
【補正対象項目名】０００８
【補正方法】変更
【補正の内容】
【０００８】
本発明によれば、入賞口に入賞した遊技球を遊技盤の裏側に案内するための通路を別途設ける必要がなく、従ってアウト口の上側に配置される開閉式入賞手段の配置位置を従来よりも下げることができ、遊技領域内の配置の自由度を向上させることが可能となる。